(57)【要約】【課題】トナーの保存環境下でのトナーのブロッキングを抑制しながら低温定着性を付与することができるとともに、透明な印刷媒体を使用しても濁りを生じ難いトナー用ワックス組成物の提供。【解決手段】下記に示す化合物Ａと化合物Ｂとからなり、化合物Ａと化合物Ｂとの質量比が５：９５〜５０：５０であり、融点が６０℃以上であるトナー用ワックス組成物。  化合物Ａ：炭素数が２０〜５０の二価の直鎖飽和脂肪酸と、炭素数が１２〜２４である一価の直鎖飽和アルコールとからなるジエステル化合物  化合物Ｂ：炭素数が１６〜５０の一価の直鎖飽和脂肪酸と、炭素数が１６〜２４の一価の直鎖飽和アルコールとからなるモノエステル化合物【選択図】なし【特許請求の範囲】
【請求項１】
下記に示す化合物Ａと化合物Ｂとからなり、化合物Ａと化合物Ｂとの質量比が５：９５〜５０：５０であり、融点が６０℃以上であるトナー用ワックス組成物。
化合物Ａ：炭素数が２０〜５０の二価の直鎖飽和脂肪酸と、炭素数が１２〜２４である一価の直鎖飽和アルコールとからなるジエステル化合物
化合物Ｂ：炭素数が１６〜５０の一価の直鎖飽和脂肪酸と、炭素数が１６〜２４の一価の直鎖飽和アルコールとからなるモノエステル化合物
【請求項２】
化合物Ａの一価の直鎖飽和アルコールの炭素数（Ｃａ）と、化合物Ｂの一価の直鎖飽和アルコールの炭素数（Ｃｂ）が下記式Ｉを満たす請求項１に記載のトナー用ワックス組成物。
（式Ｉ）  ｜Ｃａ−Ｃｂ｜≦４
【発明の詳細な説明】
【技術分野】
【０００１】
本発明は、複写機、レーザープリンタなどの電子写真法や静電記録法などで記録される静電荷像の現像に使用されるトナーに対して好適に用いられるトナー用エステルワックス組成物に関する。
【背景技術】
【０００２】
電子写真方式のプリンタ、ファクシミリ、およびこれらの機能を有する複写機に用いるトナーは、主成分となる熱可塑性樹脂の他に、着色剤（カーボンブラック、磁性粉、顔料など）、荷電制御剤、ワックスを含み、必要に応じて、流動性付加剤、クリーニング助剤、転写助剤を更に含む。
トナーは、定着工程において熱ロールによる加熱を受けて軟化し、且つ加圧ロールによる圧力を受けて印刷媒体表面に定着することにより画像が形成される。トナーに含まれるワックスは、定着時にトナーが定着ロールに残存すること（フィルミング）を防止するとともに、熱可塑性樹脂の軟化を促進して定着性を向上させる機能を有する。
最近では環境意識の高まりから、複写機などには消費電力を低減するために、低温定着に対応したトナーが求められており、一般に、直鎖飽和脂肪酸と直鎖飽和アルコールとからなる低融点のモノエステルワックスがトナー用ワックスとして使用される。この場合、ワックスを過度に低融点化した場合には、トナーの保存環境下でワックスの融解によるブロッキングを引き起こすことがあるため、一定温度以上の融点を有するモノエステルワックスを使用する必要がある。
【０００３】
また近年、プロダクションプリンティングなど、印刷の多様化によって、従来では紙であった印刷媒体が、ＯＨＰフィルムや樹脂フィルムといった多様な印刷媒体へ対応することが要求されている。しかし、これらＯＨＰフィルムや樹脂フィルム等は一般に透明であり、透明な印刷媒体に対して、モノエステルワックスを含むトナーで印刷した場合、エステルワックスの結晶由来の濁りが発生し、フィルムの透明性を損なう、顔料の発色を阻害するなどの課題があった。
【０００４】
トナーの現像性、転写性、定着性、および保存安定性が向上し、更には両面印刷において画像光沢度が均一となるトナーを提供することを目的として、特許文献１には、ジエステルワックスをトナー用ワックスとして使用することが提案されている。
同文献には、炭素数が６〜３２の２価の直鎖飽和脂肪酸、及び炭素数が６〜３２である１価の直鎖飽和アルコールからなるジエステル化合物をトナー用ワックスとして使用することが提案されており、同文献のトナー用ワックスによれば、フィルム定着器のような軽負荷定着工程においてジエステル化合物がトナー樹脂を軟化することで印刷表面の平滑性が向上し、良好な顔料発色が得られることが開示されている。一方で、冷却固化時に速やかに結晶化するジエステル化合物を使用することによって、エステルワックスの結晶由来の濁りによる透明性には課題がある。そのため、同文献のトナー用ワックスはトナー樹脂を軟化させることはできるものの、エステルワックスの光透過率を向上させることはできない。
【０００５】
低温定着性が得られながら定着分離性および耐ホットオフセット性が得られ、さらに、画質安定性に優れる静電荷像現像用トナーを提供することを目的として、特許文献２には、モノエステルワックス、ジ・トリエステルワックス、および結晶核剤としてソルビトール誘導体を含有するトナーが提案されている。
同文献には、モノエステルワックス、炭素数６以下の２価の直鎖飽和脂肪酸（即ち、短鎖二塩基酸）と炭素数１６〜１８の１価の直鎖飽和アルコールとのジエステル化合物、トリエステルワックス、及びソルビトール誘導体を結晶核剤として含有するトナーが提案されており、低温定着性、顔料の発色、保存安定性が良好なトナーが開示されている。一方で、上記の短鎖二塩基酸ではエステルワックスの結晶由来の濁りによる透明性を改善することはできず、ソルビトール誘導体ではエステルワックスの透明性を向上させる効果は得られないことから、印刷表面の濁りについては改善の余地がある。
【先行技術文献】
【特許文献】
【０００６】
【特許文献１】特許第５４９５５３０号公報
【特許文献２】特許第５７９４１２０号公報
【発明の概要】
【発明が解決しようとする課題】
【０００７】
上記課題に鑑み、本発明の目的は、トナーの保存環境下でのトナーのブロッキングを抑制しながら低温定着性を付与することができるとともに、透明な印刷媒体を使用しても濁りを生じ難いトナー用ワックス組成物を提供することである。
【課題を解決するための手段】
【０００８】
本発明者らは、上記課題を解決するために鋭意研究した結果、特定構造のジエステルワックスと特定構造のモノエステルワックスとを特定の割合で配合することで、モノエステルワックスの融点の低下を抑制するとともに、エステルワックス組成物の光透過率の向上によってエステルワックスの結晶由来の濁りが解消できることを見出し、本発明を完成するに至った。
【０００９】
すなわち、本発明は、下記に示す化合物Ａと化合物Ｂとからなり、化合物Ａと化合物Ｂとの質量比が５：９５〜５０：５０であり、融点が６０℃以上であるトナー用ワックス組成物である。
化合物Ａ：炭素数が２０〜５０の二価の直鎖飽和脂肪酸と、炭素数が１２〜２４である一価の直鎖飽和アルコールとからなるジエステル化合物
化合物Ｂ：炭素数が１６〜５０の一価の直鎖飽和脂肪酸と、炭素数が１６〜２４の一価の直鎖飽和アルコールとからなるモノエステル化合物
【００１０】
また、本発明のトナー用ワックス組成物は、化合物Ａの一価の直鎖飽和アルコールの炭素数（Ｃａ）と、化合物Ｂの一価の直鎖飽和アルコールの炭素数（Ｃｂ）が下記式Ｉを満たすことが好ましい。
（式Ｉ）  ｜Ｃａ−Ｃｂ｜≦４
【発明の効果】
【００１１】
本発明のトナー用ワックス組成物は、融点が低く低温で融解し易いことから、トナーに低温定着性を付与することができる。また、化合物Ａまたは化合物Ｂのエステルワックス単独の場合よりも、光透過率を向上させることができ、印刷画像の透過光や顔料発色を阻害し難いことから、透明な印刷媒体に印刷するためのトナーに適用した場合であっても、良好な画質性能を得ることができる。
【発明を実施するための形態】
【００１２】
以下、本発明の実施形態を説明する。
本発明のトナー用ワックス組成物は、下記に示す化合物Ａと化合物Ｂからなる。
なお、本明細書において記号「〜」を用いて規定された数値範囲は「〜」の両端（上限および下限）の数値を含むものとする。例えば「２〜５」は２以上５以下を表す。
【００１３】
〔化合物Ａ〕
本発明で用いられる化合物Ａは、二価の直鎖飽和脂肪酸と、一価の直鎖飽和アルコールとからなるジエステル化合物である。
【００１４】
化合物Ａにおける二価の直鎖飽和脂肪酸は、炭素数が２０〜５０であり、好ましくは２０〜３０である。二価の直鎖飽和脂肪酸の炭素数が小さすぎる場合には、化合物Ｂと組み合わせても本発明の効果が得られないことがある。
二価の直鎖飽和脂肪酸の例としては、エイコサン二酸、ドコサン二酸、テトラコサン二酸、ヘキサコサン二酸、オクタコサン二酸、トリアコンタン二酸などが挙げられる。
【００１５】
化合物Ａにおける一価の直鎖飽和アルコールは、炭素数が１２〜２４であり、好ましくは炭素数が１６〜２４であり、特に好ましくは炭素数が１８〜２４である。一価の直鎖飽和脂肪酸の炭素数が小さすぎる場合には、化合物Ａの融解温度が低くなりトナーのブロッキングを引き起こすことがある。また炭素数が大きすぎる場合には、化合物Ａの融点が９０℃を超えるために、融解時のトナー表面への染み出し性が劣り、ロールとの離型性が低下することがある。
一価の直鎖飽和アルコールの例としては、ラウリルアルコール、ミリスチルアルコール、パルミチルアルコール、ステアリルアルコール、アラキジルアルコール、ベヘニルアルコール、リグノセリルアルコールなどが挙げられる。
【００１６】
トナーの保存安定性の点で、化合物Ａの酸価は１０ｍｇＫＯＨ／ｇ以下が好ましく、水酸基価は１０ｍｇＫＯＨ／ｇ以下が好ましい。
なお、酸価はＪＯＣＳ（日本油化学会）２．３．１−１９９６に準拠して測定することができ、水酸基価はＪＯＣＳ（日本油化学会）２．３．６．２−１９９６に準拠して測定することができる。
【００１７】
〔化合物Ｂ〕
本発明で用いられる化合物Ｂは、一価の直鎖飽和脂肪酸と、一価の直鎖飽和アルコールとからなるモノエステル化合物である。
一価の直鎖飽和脂肪酸は、炭素数が１６〜５０であり、好ましくは１８〜３０である。１価の直鎖飽和脂肪酸の例としては、パルミチン酸、ステアリン酸、アラキジン酸、ベヘニン酸、リグノセリン酸、ヘキサコサン酸、オクタコサン酸、トリアコンタン酸などが挙げられる。
【００１８】
化合物Ｂにおける一価の直鎖飽和アルコールは、炭素数が１６〜２４であり、好ましくは１８〜２４である。
一価の直鎖飽和アルコールの例としては、パルミチルアルコール、ステアリルアルコール、アラキジルアルコール、ベヘニルアルコール、リグノセリルアルコールなどが挙げられる。
【００１９】
化合物Ｂの一価の直鎖飽和脂肪酸と一価の直鎖飽和アルコールとの合計炭素数が３２未満の場合には、化合物Ｂの融点が低く、トナーのブロッキング等、保存安定性を損ねることがある。
【００２０】
〔化合物Ａ、Ｂの製造方法〕
化合物Ａおよび化合物Ｂの製造法としては、例えば、アルコールと脂肪酸からの脱水縮合反応を利用する方法が挙げられる。反応の際には触媒を使用しても良く、触媒としては、酸性または塩基性触媒、例えば、チタン化合物、スズ化合物などが挙げられる。反応の際には、脂肪酸とアルコールとを等モル比で、あるいは一方の成分を他方の成分よりも過剰に添加し反応させる。その後、再結晶法、蒸留法、溶剤抽出法、吸着処理法などによって、高純度化させても良い。
【００２１】
〔トナー用ワックス組成物〕
本発明のトナー用ワックス組成物は、化合物Ａと化合物Ｂとからなり、化合物Ａと化合物Ｂとの質量比（化合物Ａ：化合物Ｂ）が５：９５〜５０：５０であり、好ましくは１０：９０〜３０：７０である。
化合物Ａと化合物Ｂの質量比が５：９５〜５０：５０を満たさない場合には本発明の効果が得られず、１０：９０〜３０：７０を満たす場合には本発明の効果がより顕著に得られる。
【００２２】
本発明のトナー用ワックス組成物は、化合物Ａの一価の直鎖飽和アルコールの炭素数（Ｃａ）と、化合物Ｂの一価の直鎖飽和アルコールの炭素数（Ｃｂ）が下記式Ｉを満たすことが好ましく、この場合、本発明の効果がより顕著となる。
（式Ｉ）  ｜Ｃａ−Ｃｂ｜≦４
【００２３】
本発明のトナー用ワックス組成物は公知の方法により製造することができる。例えば、化合物Ａと化合物Ｂを加熱溶融して均一に混合後、冷却固化して粉砕、または造粒して製造する方法が、品質のばらつき防止の観点から好ましい。また、化合物Ａと化合物Ｂを一括合成しても良い。
【００２４】
〔トナー用ワックス組成物の使用方法〕
本発明のトナー用ワックス組成物は、一般には、バインダー樹脂、着色剤、外添剤、帯電制御剤などとともに配合され、通常の製法によってトナーが製造される。トナー中における本発明のトナー用ワックス組成物の配合量は、バインダー樹脂１００質量部に対して、通常、０．１〜４０質量部である。トナー中には、本発明のトナー用ワックス組成物が単独であるいは２種類以上混合して添加される。
【実施例】
【００２５】
以下に本発明のトナー用ワックス組成物の製造例およびその評価方法を示すことで、本発明を更に具体的に説明する。なお、以下の実施例および比較例において、「％」は質量基準を意味する。
【００２６】
〔化合物Ａ１の調製〕
窒素導入管、撹拌羽、冷却管を取り付けた２Ｌ容の４つ口フラスコに、エイコサン二酸５３４ｇ（１．５６ｍｏｌ）、ステアリルアルコール８６６ｇ（３．２１ｍｏｌ）を加え、窒素気流下、生成水を留去しながら、２２０℃で１０時間反応させた。
粗生成物１００ｇに対して１Ｌのヘキサンを用い、再結晶を２回実施した。得られた精製物を減圧乾燥し、エイコサン二酸ジステアリル（化合物Ａ１）７４９ｇを得た。
【００２７】
〔測定方法〕
調製された化合物Ａ１については、下記に記載の方法で酸価、水酸基価、融点、および光透過率を測定した。表１に測定結果を示す。
【００２８】
酸価：ＪＯＣＳ（日本油化学会）２．３．１−１９９６に準拠して測定した。
水酸基価：ＪＯＣＳ（日本油化学会）２．３．６．２−１９９６に準拠して測定した。
融点：示差走査熱量分析計（ＤＳＣ）として、セイコーインスツル株式会社製の「ＤＳＣ−６２００」を使用した。測定は、約１０ｍｇの化合物Ａ１を試料ホルダーに入れ、レファレンス材料として空の試料ホルダーを用いて行い、１５０℃に昇温した後、１０℃／ｍｉｎで１５０℃から３０℃まで降温し、３０℃から１５０℃まで昇温した。得られたＤＳＣチャート上の昇温時のピークトップを融点（Ｔｍ）とした。
光透過率：光透過率の測定には日本電色工業株式会社製の「ＮＤＨ  ５０００」を使用した。測定試料として、内径２６ｍｍ、厚さ１ｍｍのＳＵＳ製リングを厚み２ｍｍのガラス板上に置き、０．３０ｇの化合物Ａ１をリングの内側に秤量し、ホットプレートで１２０℃まで加熱し、冷却固化させてワックスの均一な膜を作成した。測定については、厚さ２ｍｍのガラス板の光透過率を１００とし、上記ワックス膜の平行線透過率と拡散透過率を測定し、これらの合計値を算出した。また、５回測定し、各合計値の平均値を光透過率とした。
【００２９】
〔化合物Ａ２〜Ａ４、Ａ６〜Ａ８の調製〕
表１に示す二価の直鎖飽和脂肪酸（二塩基酸と表記）と、一価の直鎖飽和アルコールとを用い、化合物Ａ１の調製に準じて、化合物Ａ２〜Ａ４、Ａ６〜Ａ８の調製を行った。また、化合物Ａ１と同様に、酸価、水酸基価、融点、および光透過率を測定した。表１に測定結果を示す。
【００３０】
〔化合物Ａ５の入手〕
モノステアリン酸ソルビタンについては、東京化成工業株式会社より製品名「スパン６０」を入手し、化合物Ａ１と同様に、酸価、水酸基価、融点、および光透過率を測定した。表１に測定結果を示す。
【００３１】
〔化合物Ｂ１の調製〕
窒素導入管、撹拌羽、冷却管を取り付けた２Ｌ容の４つ口フラスコに、ステアリン酸６２７ｇ（３．０１ｍｏｌ）、ステアリルアルコール７７２ｇ（２．８７ｍｏｌ）を加え、窒素気流下、生成水を留去しながら、２２０℃で１０時間反応した。
粗生成物１００ｇに対して１Ｌのヘキサンを用い、再結晶を２回実施した。得られた精製物を減圧乾燥し、ステアリン酸ステアリル（化合物Ｂ１）８３１ｇを得た。
また、化合物Ａ１のエイコサン二酸ジステアリルと同様に、酸価、水酸基価、融点、および光透過率を測定した。表２に測定結果を示す。
【００３２】
〔化合物Ｂ２〜Ｂ５の調製〕
表２に示す一価の直鎖飽和脂肪酸（一塩基酸と表記）、および一価の直鎖飽和アルコールを用い、化合物Ｂ１の調製に準じて化合物Ｂ２〜Ｂ５の調製を行った。また、化合物Ｂ１と同様に、酸価、水酸基価、融点、および光透過率を測定した。表２に測定結果を示す。
【００３３】
〔トナー用ワックス組成物の調製および評価〕
〔実施例１〕
撹拌羽、窒素導入管を取り付けた０．３Ｌ容のセパラブルフラスコに、化合物Ａ１を４０ｇ、化合物Ｂ１を１６０ｇ秤量し、窒素気流下、１２０℃で１時間撹拌した。その後、冷却、固化、粉砕を経て、実施例１に記載のトナー用ワックス組成物を得た。
また、得られたトナー用ワックス組成物の融点、光透過率を化合物Ａ１と同様の方法で測定した。表３に測定結果を示す。
【００３４】
〔実施例２〜９、および比較例１〜４〕
表１に示す化合物Ａおよび表２に示す化合物Ｂを用い、実施例１と同様にして、実施例２〜９、および比較例１〜４のトナー用ワックス組成物を得た。得られたトナー用ワックス組成物の融点および光透過率を化合物Ａ１と同様に測定し、表３、および４に記載した。
【００３５】
【表１】
2018081119.tif 000002
【００３６】
【表２】
2018081119.tif 000003
【００３７】
【表３】
2018081119.tif 000004
【００３８】
【表４】
2018081119.tif 000005
【００３９】
〔実施例と比較例との対比〕
表３に記載の実施例１〜９と表４に記載の比較例１〜４との対比から明らかなように、実施例１〜９のトナー用ワックス組成物は、特定の化合物Ａと特定の化合物Ｂを所定比率含有することによって、比較例１〜４のトナー用ワックス組成物に比して、光透過率が向上し、光透過率を６５％以上得ることができた。
特に、化合物Ａと化合物Ｂの質量比が１０：９０〜３０：７０の範囲にあり、化合物Ａの一価の直鎖飽和アルコールの炭素数（Ｃａ）と、化合物Ｂの一価の直鎖飽和アルコールの炭素数（Ｃｂ）が下記式Ｉを満たす場合には、効果がより顕著であった。
（式Ｉ）  ｜Ｃａ−Ｃｂ｜≦４